(57)【要約】      （修正有）【課題】遊技盤全体の重量バランスを後側に大きく偏らせることなく図柄表示器を衝撃から保護すること。【解決手段】図柄表示器１７０は金属製の液晶ステー１３０を介して遊技盤３０に接合されている。液晶ステー１３０が左液晶ステー１４０および右液晶ステー１５０から構成されている。このため、液晶ステー１３０が軽量化されるので、遊技盤３０の重量バランスが後方に大きく偏ることが抑えられる。さらに、左液晶ステー１４０および右液晶ステー１５０のそれぞれが遊技盤３０にバネ螺子を介して接合されている。このため、衝撃力が作用したときにはバネ螺子のバネが弾性変形するので、図柄表示器１７０が衝撃から保護される。【選択図】図３
2007275329.tif 000002
【特許請求の範囲】
【請求項１】
遊技球が転動可能な遊技領域を有する透光性の遊技盤と、
前記遊技盤の遊技領域内に設けられ、遊技球が入球不能な閉鎖状態および遊技球が入球可能な開放状態に相互に切換わることが可能な入球口装置と、
前記入球口装置を開放する大当りおよび前記入球口装置を開放しない外れを識別するための図柄遊技の映像が表示される表示領域を有するものであって、当該表示領域が前方から前記遊技盤の遊技領域を通して視覚的に認識可能となるように前記遊技盤の後方に設けられた図柄表示器と、
前記遊技盤と前記図柄表示器との間に設けられ、前記図柄表示器の表示領域を取囲む枠状のスペーサと、
前記図柄表示器を前記遊技盤に連結するものであって、前記遊技盤に接合された盤側プレートおよび前記図柄表示器に接合された反盤側プレートを一体に有する金属板製のステーを備え、
前記反盤側プレートは、前記図柄表示器の縁部のみを支えるものであって少なくとも前記図柄表示器の左側の縁部および右側の縁部のいずれかを支えるものであり、
前記遊技盤および前記盤側プレートは、前記遊技盤に移動不能に固定されたものであって前記ステーが前記遊技盤に対してスライド可能となるように前記ステーに装着された螺子および前記螺子の外周部に挿入された緩衝用のバネを有するバネ螺子を介して相互に接合されていることを特徴とするパチンコ遊技機。
【請求項２】
遊技球が転動可能な遊技領域を有する透光性の遊技盤と、
前記遊技盤の遊技領域内に設けられ、遊技球が入球不能な閉鎖状態および遊技球が入球可能な開放状態に相互に切換わることが可能な入球口装置と、
前記入球口装置を開放する大当りおよび前記入球口装置を開放しない外れを識別するための図柄遊技の映像が表示される表示領域を有するものであって、当該表示領域が前方から前記遊技盤の遊技領域を通して視覚的に認識可能となるように前記遊技盤の後方に設けられた図柄表示器と、
前記遊技盤と前記図柄表示器との間に設けられ、前記図柄表示器の表示領域を取囲む枠状のスペーサと、
前記図柄表示器を前記遊技盤に連結するものであって、前記遊技盤に接合された盤側プレートおよび前記図柄表示器に接合された反盤側プレートを一体に有する金属板製のステーを備え、
前記反盤側プレートは、前記図柄表示器の縁部のみを支えるものであって少なくとも前記図柄表示器の左側の縁部および右側の縁部のいずれかを支えるものであり、
前記図柄表示器および前記反盤側プレートは、前記図柄表示器に移動不能に固定されたものであって前記図柄表示器が前記ステーに対してスライド可能となるように前記ステーにスライド可能に装着された螺子および前記螺子の外周部に挿入された緩衝用のバネを有するバネ螺子を介して相互に接合されていることを特徴とするパチンコ遊技機。
【発明の詳細な説明】
【技術分野】
【０００１】
本発明は、透光性の遊技盤を備えたパチンコ遊技機に関する。
【背景技術】
【０００２】
上記パチンコ遊技機には遊技者が図柄表示器の表示内容を遊技盤を通して視認できるように遊技盤および図柄表示器を内枠に前後方向に並べて装着し、遊技盤の左右方向の全域または遊技盤の上下方向の全域に及ぶ大画面の図柄表示器を使用可能としたものがある。この構成の場合、図柄表示器での発熱量が画面の大きさに応じて増えるので、遊技盤および図柄表示器相互間に枠状のスペーサを介在することに基づいて図柄表示器で発生する熱が遊技盤側へ伝わることを抑えている。このパチンコ遊技機の場合には遊技盤および図柄表示器のそれぞれを内枠に着脱可能に装着し、図柄表示器を内枠に残したまま透光性の遊技盤を別の透光性の遊技盤に交換可能としている。このため、透光性の遊技盤よりも図柄表示器を小形にせざるを得ないベニヤ製の遊技盤にあっては、それに固定された図柄表示器が前述した内枠に残存する透光性の遊技盤用の図柄表示器と干渉することが問題になる。従って、透光性の遊技盤および非透光性のベニヤ製の遊技盤相互間で同一の内枠を利用することができない。よって、本件出願人は遊技盤とスペーサと図柄表示器の３部材を相互に接合することでユニット化し、盤替え時に遊技盤をユニット単位で交換することに基づいて透光性の遊技盤およびベニヤ製の遊技盤相互間で内枠を兼用することを提案した。
【特許文献１】特開２００５−１５２５７９号公報
【特許文献２】特開２００４−０４９２８７号公報
【発明の開示】
【発明が解決しようとする課題】
【０００３】
パチンコ遊技機では一般的にベニヤ製の遊技盤が使用される。この一般的なパチンコ遊技機の場合には図柄表示器をケース内に収納し、ケースを遊技盤の後面に接合することで図柄表示器の表示領域を遊技盤の開口部の後方に視認可能に配置している。このケースは合成樹脂を材料に形成されたものであり、遊技盤の搬送時および窓枠の開閉時等に図柄表示器に作用する衝撃力を緩和する効果を奏する。しかしながら、大画面の図柄表示器を透光性の遊技盤に合成樹脂製のケースを介して接合しようとしたときにはケースに図柄表示器を取囲む幅広なフランジを形成し、幅広なフランジを遊技盤の後面に接合することで高重量の図柄表示器を支えるだけの強度を確保する必要がある。このため、幅広なフランジの接合位置が他部品との関係で限定されるので、図柄表示器の組付作業性の悪化および図柄表示器の組付姿勢の不安定化を招く虞がある。従って、図柄表示器を遊技盤にケースを介して接合する構成を採用することができず、図柄表示器に作用する衝撃力を緩和する新たな工夫が要求される。しかも、透光性の遊技盤とスペーサと図柄表示器の３部材をユニット化する場合には遊技盤のユニット全体としての重量バランスがケースの重量およびスペーサの重量の合計分だけ後側に偏る。このため、遊技盤を内枠に製造段階で装着する場合および盤替え時に交換する場合のそれぞれで遊技盤の取扱いが困難になるので、遊技盤全体の重量バランスが後方に偏ることを抑える新たな工夫も必要になる。
【０００４】
本発明は上記事情に鑑みてなされたものであり、その目的は、図柄表示器での発熱が透光性の遊技盤に影響を及ぼすことを軽減でき、しかも、遊技盤全体の重量バランスを後側に大きく偏らせることなく図柄表示器を衝撃から保護することができるパチンコ遊技機を提供することにある。
【課題を解決するための手段】
【０００５】
１．請求項１記載のパチンコ遊技機の説明
請求項１記載のパチンコ遊技機は［１］遊技盤〜［６］バネ螺子を備えたところに特徴を有している。
［１］遊技盤は遊技球が転動可能な遊技領域を有するものであり、透光性を有している。図２の符号３０は遊技盤の一例であり、図２の符号３７は遊技領域を示している。
［２］入球口装置は遊技盤の遊技領域内に設けられたものであり、遊技球が入球不能な閉鎖状態および遊技球が入球可能な開放状態に相互に切換わることが可能なものである。図２の特別電動入賞装置４２は入球口装置の一例であり、図２は特別電動入賞装置４２を閉鎖状態で示している。
［３］図柄表示器は入球口装置を開放する大当りおよび入球口装置を開放しない外れを識別するための図柄遊技の映像が表示される表示領域を有するものであり、表示領域が前方から遊技盤の遊技領域を通して視覚的に認識可能となるように遊技盤の後方に設けられたものである。図３の符号１７０は図柄表示器の一例である。図３の液晶パネル１７１は表示領域の一例であり、液晶パネル１７１には識別図柄を可変状態および可変停止状態で順に表示する図柄遊技の映像が表示される。
［４］スペーサは遊技盤と図柄表示器との間に設けられたものであり、図柄表示器の表示領域を取囲む枠状をなしている。このため、図柄表示器を遊技盤の後面に直接的に接合する場合に比べて両者の離間距離が長くなるので、図柄表示器で発生する熱が遊技盤側へ伝わることが抑えられる。図２の符号９０はスペーサの一例であり、スペーサ９０は裏樋６０およびフレーム８０から構成されている。
［５］ステーは図柄表示器を遊技盤に連結するものであり、遊技盤に接合された盤側プレートおよび図柄表示器に接合された反盤側プレートを一体に有する金属板から構成されている。このため、ステーの強度が合成樹脂製のケースに比べて高まるので、盤側ステーの幅寸法を合成樹脂製のフランジに比べて狭くすることができる。従って、盤側ステーの接合位置の制約が少なくなるので、図柄表示器の組付作業性の悪化および図柄表示器の組付姿勢の不安定化を招くことが防止される。この反盤側プレートは図柄表示器の縁部のみを支えるものであり、少なくとも左側の縁部および右側の縁部のいずれかを支えている。このため、図柄表示器の全体を支えるケース状のステーを使用する場合に比べてステーが軽量化される。従って、遊技盤全体の重量バランスが後方に大きく偏ることが抑えられるので、遊技盤を内枠に製造段階で装着する場合および盤替え時に交換する場合のそれぞれで遊技盤の取扱いが容易になる。図３の液晶ステー１３０はステーの一例である。この液晶ステー１３０は左液晶ステー１４０および右液晶ステー１５０から構成されたものであり、左液晶ステー１４０の前板１４１および右液晶ステー１５０の前板１５１のそれぞれは盤側プレートに相当する。左液晶ステー１４０の左側板１４２および右液晶ステー１５０の右側板１５２のそれぞれは反盤側プレートに相当するものであり、左側板１４２は図柄表示器１７０の左側の縁部のみを支え、右側板１５２は図柄表示器１７０の右側の縁部のみを支えている。
［６］バネ螺子は遊技盤および盤側プレートを相互に接合するものであり、螺子およびバネを有している。螺子は遊技盤に移動不能に固定されたものであり、ステーが遊技盤に対してスライド可能となるようにステーにスライド可能に装着されたものである。バネは螺子の外周部に挿入されたものであり、遊技盤の搬送時および窓枠の開閉時等に衝撃力が作用したときにはバネが弾性変形することに基づいてステーに作用する衝撃力を緩和する。このため、図柄表示器にステーから衝撃力が伝わることが抑えられるので、図柄表示器を衝撃から保護することができる。図５の符号１６０はバネ螺子の一例であり、符号１６１は螺子を示している。この螺子１６１の外周部に挿入された前バネ１６５および後バネ１６６のそれぞれはバネに相当する。
２．請求項２記載のパチンコ遊技機の説明
請求項２記載のパチンコ遊技機は［６］バネ螺子に換えて［７］バネ螺子を用いた点で請求項１記載のパチンコ遊技機に対して相違する。
［７］バネ螺子は図柄表示器およびステーの反盤側プレートを相互に接合するものであり、螺子およびバネを有している。螺子は図柄表示器に移動不能に固定されたものであり、図柄表示器がステーに対してスライド可能となるようにステーにスライド可能に装着されたものである。バネは螺子の外周部に挿入されたものであり、遊技盤の搬送時および窓枠の開閉時等に衝撃力が作用したときにはバネが弾性変形することに基づいて図柄表示器に作用する衝撃力を緩和する。図６の符号１６０はバネ螺子の一例であり、符号１６１は螺子を示している。この螺子１６１の外周部に挿入された左バネ１６７および右バネ１６８のそれぞれはバネに相当する。
【発明を実施するための最良の形態】
【０００６】
【実施例１】
【０００７】
図１の外枠１はパチンコホールの台島に設置されるものであり、前後面が開口する四角筒状をなしている。この外枠１には内枠２が左側部の垂直な軸３を中心に回動可能に装着されている。この内枠２は外枠１の前端面に接触する閉鎖状態および外枠１の前端面から前方へ離間する開放状態に相互に回動操作されるものであり、図１は内枠２を閉鎖状態で示している。この内枠２は、図２に示すように、前後面が開口する四角筒状をなすものであり、内枠２の下端部にはレール台４が形成され、内枠２の内部にはレール台４の上方に位置して遊技盤収納部５が形成されている。レール台４は発射レールが固定されるものであり、遊技盤収納部５は内枠２の内部空間のうちレール台４の残余部分を称する。この内枠２には４個の支え部６が形成されている。これら各支え部６は遊技盤収納部５内に突出する板状をなすものであり、上方の２個の支え部６のそれぞれにはＬ字状のストッパ７が前後方向へ延びる軸８を中心に回動可能に装着され、下方の２個の支え部６のそれぞれにはＬ字状のストッパ９が静止状態で固定されている。
【０００８】
内枠２には、図１に示すように、下端部に位置して横長な長方形状の下皿板１０が固定されており、下皿板１０には上面が開口する下皿１１が固定されている。この下皿板１０の上方には上皿板１２が配置されており、上皿板１２には上面が開口する上皿１３が固定されている。この上皿板１２は横長な長方形状をなすものであり、内枠２に左側部の垂直な軸を中心に回動可能に装着されている。この上皿板１２は内枠２の前端面に接触する閉鎖状態および内枠２の前端面から前方へ離間する開放状態に相互に回動操作されるものであり、図１は上皿板１２を閉鎖状態で示している。
【０００９】
下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射ソレノイドが固定されている。この発射ソレノイドはロータリーソレノイドからなるものであり、発射ハンドル１５が回動操作されたときには発射ソレノイドに駆動電源が与えられ、発射ソレノイドの出力軸が回転する。この発射ソレノイドの出力軸には、図２に示すように、発射装置１６が連結されている。この発射装置１６はレール台４に装着されたものであり、打球槌および駆動機構を有している。この駆動機構は発射ソレノイドの回転力を駆動源として打球槌を操作するものであり、打球槌は駆動機構によって操作されることに基づいて上皿１３内から供給される遊技球を叩き、遊技球をレール台４の発射レールに沿って発射する。
【００１０】
内枠２には、図１に示すように、窓枠１７が左側部の垂直な軸を中心に回動可能に装着されている。この窓枠１７は内枠２の前端面に接触する閉鎖状態および内枠２の前端面から前方へ離間する開放状態に相互に回動操作されるものであり、図１は窓枠１７を閉鎖状態で示している。この窓枠１７は円形孔状の窓部を有するものであり、窓部の内周面には透明な窓１８が固定されている。内枠２の遊技盤収納部５内には、図２に示すように、遊技盤ユニット２０が着脱可能に収納されている。この遊技盤ユニット２０は、図３に示すように、遊技盤３０と裏樋６０とフレーム８０と下意匠板１００と上意匠板１１０と裏樋カバー１２０と液晶ステー１３０と図柄表示器１７０と表示制御基板１８０を有するものであり、遊技盤３０〜表示制御基板１８０の詳細構成は次の通りである。
１．遊技盤３０の説明
遊技盤３０は透明な合成樹脂製の板から構成されたものである。この遊技盤３０の前面には、図２に示すように、外レール３１および内レール３２が固定されており、外レール３１と内レール３２との間には発射通路３３が形成されている。この発射通路３３は遊技盤３０の左端部に位置する円弧状の空間部を称するものであり、発射装置１６が発射した遊技球は発射レールから発射通路３３内に発射通路３３の入口３４から進入し、発射通路３３に沿って円弧状の軌跡を描きながら上昇した後に発射通路３３の出口３５から放出される。
【００１１】
遊技盤３０の前面には右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域のうち発射通路３３を除く円形状の部分を称するものであり、発射通路３３の出口３５から放出された遊技球が転動可能な最大範囲に相当する。この遊技領域３７内には複数の障害釘が固定されており、発射通路３３の出口３５から遊技領域３７内に放出された遊技球は障害釘に当りながら遊技領域３７内を転動する。
【００１２】
遊技盤３０の前面には飾りレール３８が固定されている。この飾りレール３８は遊技領域３７内に配置されたものであり、飾りレール３８と外レール３１との間には球通路３９が形成され、飾りレール３８と内レール３２との間には球通路４０が形成されている。これら球通路３９および球通路４０のそれぞれは発射通路３３の出口３５から遊技領域３７内に放出された遊技球が転動可能なものであり、上方の球通路３９は左方の球通路４０に比べて幅狭に設定されている。
【００１３】
遊技盤３０には遊技領域３７内に位置して電動始動装置４１および特別電動入賞装置４２が固定されている。電動始動装置４１は上始動口４３および下始動口４４を上下２段に有するものであり、上始動口４３および下始動口４４のそれぞれは上面が開口するポケット状をなしている。これら上始動口４３内および下始動口４４内のそれぞれには始動口センサが装着されており、上始動口４３内の始動口センサは遊技球が上始動口４３内に入賞したことを検出して主制御回路に始動信号を出力し、下始動口４４内の始動口センサは遊技球が下始動口４４内に入賞したことを検出して主制御回路に始動信号を出力する。この主制御回路はマイクロコンピュータを主体に構成されたものであり、内枠２に固定されている。
【００１４】
下始動口４４には２枚の羽根板４５が装着されており、両羽根板４５は共通の始動口ソレノイドに連結されている。これら両羽根板４５は始動口ソレノイドが断電されることに基づいて垂直な縮小状態になるものであり、図２は両羽根板４５を縮小状態で示している。これら両羽根板４５の縮小状態では両羽根板４５相互間の隙間が上始動口４３によって上方から閉鎖され、遊技球が下始動口４４内に入賞することが不能になる。これら両羽根板４５は始動口ソレノイドが通電されることに基づいて水平な拡大状態に下端部の前後方向へ延びる軸を中心に回動するものであり、両羽根板４５の拡大状態では下始動口４４の左右両側部を落下する遊技球が羽根板４５によって捕捉されることに基づいて下始動口４４内に入賞可能になる。
【００１５】
特別電動入賞装置４２は前面が開放する特別入賞口および扉４６を有するものであり、扉４６は特別入賞口ソレノイドに連結されている。この扉４６は特別入賞口ソレノイドの断電状態で垂直な閉鎖状態になることに基づいて特別入賞口の前面を遊技球が入賞不能に閉鎖するものであり、図２は扉４６を閉鎖状態で示している。この扉４６は特別入賞口ソレノイドの通電状態で前方へ水平に倒れた開放状態に下端部の左右方向へ延びる軸を中心に回動するものであり、扉４６の開放状態では遊技球が扉４６に乗って特別入賞口内に転がり込むことが許容される。この特別入賞口内にはカウントセンサが装着されており、カウントセンサは遊技球が特別入賞口内に入賞したことを検出して主制御回路にカウント信号を出力する。
【００１６】
遊技盤３０には、図３に示すように、始動口取付孔４７および特別入賞口取付孔４８が形成されており、始動口取付孔４７内には電動始動装置４１の樋４９が挿入され、特別入賞口取付孔４８内には特別電動入賞装置４２の樋５０が挿入されている。樋４９は電動始動装置４１の上始動口４３および下始動口４４の双方に接続されたものであり、上始動口４３内に入賞した遊技球および下始動口４４内に入賞した遊技球はいずれも樋４９に沿って後方へ転がる。樋５０は特別電動入賞装置４２の特別入賞口に接続されたものであり、特別入賞口内に入賞した遊技球は樋５０に沿って後方へ転がる。遊技盤３０にはアウト孔５１が形成されている。このアウト孔５１は、図２に示すように、内レール３２の最低部に配置されたものであり、上始動口４３と下始動口４４と特別入賞口のいずれにも入賞しなかった遊技球は内レール３２に沿ってアウト孔５１内に転がり込む。
２．裏樋６０の説明
裏樋６０は、図３に示すように、下部裏樋６１と左部裏樋６２と右部裏樋６３と上部裏樋６４の４部材を相互に四角枠状に組合せることから構成されたものであり、後方から裏樋６０を通して遊技盤３０に複数のネジを螺合することで遊技盤３０の後面に直接的に接合されている。この裏樋６０の下部裏樋６１には始動口挿入孔６５および特別入賞口挿入孔６６が形成されており、電動始動装置４１の樋４９は始動口挿入孔６５内に挿入され、特別電動入賞装置４２の樋５０は特別入賞口挿入孔６６内に挿入されている。この下部裏樋６１にはアウト口６７が形成されている。このアウト口６７は前後面が開口する筒状をなすものであり、遊技盤３０のアウト孔５１の内周面に後方から嵌合されている。
【００１７】
下部裏樋６１には左下厚さ調整部６８および右下厚さ調整部６９が形成されている。これら左下厚さ調整部６８および右下厚さ調整部６９はいずれも遊技盤３０の前後方向の厚さ寸法を厚く調整するものであり、左下厚さ調整部６８は遊技盤３０と共に左下の支え部６および左下のストッパ９相互間で挟持され、右下厚さ調整部６９は遊技盤３０と共に右下の支え部６および右下のストッパ９相互間で挟持されている。上部裏樋６４には左上厚さ調整部７０および右上厚さ調整部７１が形成されている。これら左上厚さ調整部７０および右上厚さ調整部７１はいずれも遊技盤３０の前後方向の厚さ寸法を厚く調整するものであり、左上厚さ調整部７０は遊技盤３０と共に左上の支え部６および左上のストッパ７相互間で挟持され、右上厚さ調整部７１は遊技盤３０と共に右上の支え部６および右上のストッパ７相互間で挟持されている。
【００１８】
左部裏樋６２には、図５に示すように、上端部および下端部のそれぞれに位置してネジ穴７２が形成されており、右部裏樋６３には上端部および下端部のそれぞれに位置してネジ穴７２が形成されている。これら各ネジ穴７２は有底なものであり、各ネジ穴７２の後面は開放され、各ネジ穴７２の前面は閉鎖されている。
３．フレーム８０の説明
フレーム８０は、図３に示すように、下部フレーム８１と左部フレーム８２と右部フレーム８３と上部フレーム８４を有する矩形枠状をなすものである。このフレーム８０は後方からフレーム８０を通して裏樋６０に複数のネジを螺合することで裏樋６０の後面に直接的に接合されたものであり、裏樋８０と共にスペーサ９０（図２参照）を構成している。
３．下意匠板１００の説明
下意匠板１００は前方から下意匠板１００を通して下部裏樋６１に複数のネジを螺合することで下部裏樋６１の前面に直接的に接合されたものであり、遊技盤３０と下部裏樋６１との間に配置されている。この下意匠板１００の前面には絵柄が印刷されており、下意匠板１００の絵柄は前方から遊技盤３０を通して視覚的に認識可能にされている。この下意匠板１００には、図３に示すように、始動口挿入孔１０１と特別入賞口挿入孔１０２と切欠部１０３が形成されており、電動始動装置４１の樋４９は始動口挿入孔１０１内を通して下部裏樋６１の始動口挿入孔６５内に挿入され、特別電動入賞装置４２の樋５０は特別入賞口挿入孔１０２内を通して下部裏樋６１の特別入賞口挿入孔６６内に挿入され、下部裏樋６１のアウト口６７は切欠部１０３を通して遊技盤３０のアウト孔５１内に嵌合されている。
４．上意匠板１１０の説明
上意匠板１１０は前方から上意匠板１１０を通して上部裏樋６４に複数のネジを螺合することで上部裏樋６４の前面に直接的に接合されたものであり、遊技盤３０と上部裏樋６４との間に配置されている。この上意匠板１１０の前面には絵柄が印刷されており、上意匠板１１０の絵柄は前方から遊技盤３０を通して視覚的に認識可能にされている。
５．裏樋カバー１２０の説明
裏樋カバー１２０は後方から裏樋カバー１２０を通して下部裏樋６１に複数のネジを螺合することで下部裏樋６１の後面に直接的に接合されたものであり、裏樋カバー１２０には球排出路が形成されている。この球排出路は電動始動装置４１の樋４９から落下した遊技球および特別電動入賞装置４２の樋５０から落下した遊技球が進入するものであり、樋４９から落下した遊技球および樋５０から落下した遊技球はいずれも球排出路を通して裏樋カバー１２０の外部に排出される。
６．液晶ステー１３０の説明
液晶ステー１３０は図柄表示器１７０の左側の縁部および右側の縁部の双方のみを支えるものであり、図柄表示器１７０は液晶ステー１３０を介して遊技盤３０に連結されている。この液晶ステー１３０は左液晶ステー１４０および右液晶ステー１５０の２部材から構成されたものである。左液晶ステー１４０は金属板を折曲加工することから構成されたものであり、図４に示すように、前板１４１と左側板１４２と後板１４３を有している。前板１４１は左部裏樋６２の後面に対して平行に上下方向へ延びるものであり、前板１４１には、図５に示すように、上端部および下端部のそれぞれに位置して円形状のネジ挿入孔１４４が形成されている。
【００１９】
左側板１４２は、図４に示すように、図柄表示器１７０の左側面に対して平行に上下方向へ延びるものであり、左側板１４２には２個のネジ挿入孔１４５が形成されている。これら各ネジ挿入孔１４５は前後方向の幅寸法が上下方向の幅寸法に比べて大きな長円形状をなすものであり、上方のネジ挿入孔１４５は前板１４１の上方のネジ挿入孔１４４より低所に配置され、下方のネジ挿入孔１４５は前板１４１の下方のネジ挿入孔１４４より高所に配置されている。後板１４３は図柄表示器１７０の後面に対して平行に上下方向へ延びるものであり、後板１４３には上端部および下端部のそれぞれに位置して右方へ突出する押え部１４６が形成されている。
【００２０】
前板１４１の各ネジ挿入孔１４４内には、図５に示すように、後方からバネ螺子１６０の螺子１６１が挿入され、左側板１４２の各ネジ挿入孔１４５内には、図６に示すように、左方からバネ螺子１６０の螺子１６１が挿入されている。これら各螺子１６１は、図５および図６のそれぞれに示すように、円柱状をなすものであり、各螺子１６１の一端部には螺子山部１６２が形成され、各螺子１６１の他端部には頭部１６３が形成されている。各螺子山部１６２は螺子１６１に比べて径小な円柱状をなすものであり、各螺子山部１６２の外周面には螺子山が形成されている。各頭部１６３は螺子１６１に比べて径大な円形状をなすものであり、各頭部１６３には工具を挿入するための溝部１６４が形成されている。
【００２１】
前板１４１の各バネ螺子１６０の螺子山部１６２は、図５に示すように、左部裏樋６２のネジ穴７２に螺合されており、左液晶ステー１４０は前板１４１の両バネ螺子１６０の螺子１６１に沿って前後方向へスライド可能に左部裏樋６２に装着されている。これら各螺子１６１の外周部には左部裏樋６２および前板１４１相互間に位置して前バネ１６５が挿入され、前板１４１および頭部１６３相互間に位置して後バネ１６６が挿入されている。これら各前バネ１６５および各後バネ１６６のそれぞれは圧縮コイルスプリングからなるものであり、前板１４１は両前バネ１６５の弾性力で左部裏樋６２の後面から離間した状態に保持され、両後バネ１６６の弾性力で両頭部１６３のそれぞれから離間した状態に保持されている。
【００２２】
右液晶ステー１５０は金属板を折曲加工することから構成されたものであり、図４に示すように、右部裏樋６３の後面に対して平行に上下方向へ延びる前板１５１と図柄表示器１７０の右側面に対して平行に上下方向へ延びる右側板１５２と図柄表示器１７０の後面に対して平行に上下方向へ延びる後板１５３を有している。この右液晶ステー１５０の後板１５３には上端部および下端部のそれぞれに位置して左方へ突出する押え部１５６が形成され、前板１５１には上端部および下端部のそれぞれに位置して円形状のネジ挿入孔１５４が形成され、右側板１５２には２個のネジ挿入孔１５５が形成されている。これら各ネジ挿入孔１５５は前後方向へ延びる長円形状をなすものであり、上方のネジ挿入孔１５５は前板１５１の上方のネジ挿入孔１５４より低所に配置され、下方のネジ挿入孔１５５は前板１５１の下方のネジ挿入孔１５４より高所に配置されている。
【００２３】
前板１５１の各ネジ挿入孔１５４内には、図５に示すように、後方からバネ螺子１６０の螺子１６１が挿入され、右側板１５２の各ネジ挿入孔１５５内には、図６に示すように、右方からバネ螺子１６０の螺子１６１が挿入されている。前板１５１の各バネ螺子１６０の螺子山部１６２は、図５に示すように、右部裏樋６３のネジ穴７２に螺合されており、右液晶ステー１５０は前板１５１の両バネ螺子１６０の螺子１６１に沿って前後方向へスライド可能に右部裏樋６３に装着されている。これら各螺子１６１の外周部には右部裏樋６３および前板１５１相互間に位置して前バネ１６５が挿入され、前板１５１および頭部１６３相互間に位置して後バネ１６６が挿入されており、前板１５１は両前バネ１６５の弾性力で右部裏樋６３の後面から離間した状態に保持され、両後バネ１６６の弾性力で両頭部１６３のそれぞれから離間した状態に保持されている。
７．図柄表示器１７０の説明
図柄表示器１７０は、図３に示すように、液晶パネル１７１およびパネルフレーム１７２を有している。液晶パネル１７１は図柄遊技の映像が表示されるものであり、横長な長方形状をなしている。パネルフレーム１７２は液晶パネル１７１の外周部を取囲む枠状をなすものであり、パネルフレーム１７２の左側面および右側面のそれぞれには、図６に示すように、２個のネジ穴１７３が形成されている。このパネルフレーム１７２はエラストマーを材料に形成されたものであり、エラストマーとは合成樹脂および合成ゴムの双方を含有する複合材料を称している。
【００２４】
パネルフレーム１７２の左側面の各ネジ穴１７３には、図６に示すように、バネ螺子１６０の螺子山部１６２が螺合されている。これら各バネ螺子１６０は左液晶ステー１４０の左側板１４２に挿入されたものであり、左側板１４２は図柄表示器１７０の左側の縁部のみを支え、図柄表示器１７０は左液晶ステー１４０に対して左右方向へスライド可能にされている。これら各バネ螺子１６０の螺子１６１の外周部には左側板１４２および頭部１６３相互間に位置して左バネ１６７が挿入されている。これら各左バネ１６７は圧縮コイルスプリングからなるものであり、図柄表示器１７０は両左バネ１６７の弾性力で右方へ付勢されている。
【００２５】
パネルフレーム１７２の右側面の各ネジ穴１７３には、図６に示すように、バネ螺子１６０の螺子山部１６２が螺合されている。これら各バネ螺子１６０は右液晶ステー１５０の右側板１５２に挿入されたものであり、右側板１５２は図柄表示器１７０の右側の縁部のみを支え、図柄表示器１７０は右液晶ステー１５０に対して左右方向へスライド可能にされている。これら各バネ螺子１６０の螺子１６１の外周部には右側板１５２および頭部１６３相互間に位置して右バネ１６８が挿入されている。これら各右バネ１６８は図柄表示器１７０を左方へ付勢する圧縮コイルスプリングからなるものであり、図柄表示器１７０のパネルフレーム１７２は両左バネ１６７の弾性力および両右バネ１６８の弾性力が相互にバランスすることに基づいて左液晶ステー１４０の左側板１４２および右液晶ステー１５０の右側板１５２のそれぞれから離間した状態に保持され、左液晶ステー１４０の両前バネ１６５の弾性力および左液晶ステー１４０の両後バネ１６６の弾性力が相互にバランスし且つ右液晶ステー１５０の両前バネ１６５の弾性力および右液晶ステー１５０の両後バネ１６６の弾性力が相互にバランスすることに基づいて左液晶ステー１４０の各押え部１４６および右液晶ステー１５０の各押え部１５６のそれぞれに接触した状態に保持されている。
８．表示制御基板１８０の説明
表示制御基板１８０は液晶パネル１７１の後面に接合されたものであり、表示制御基板１８０には表示制御回路が搭載されている。この表示制御回路はマイクロコンピュータを主体に構成されたものであり、液晶パネル１７１を駆動制御することに基づいて液晶パネル１７１に図柄遊技の映像を表示する。
９．遊技盤ユニット２０の着脱手順の説明
遊技盤ユニット２０は上皿板１２および窓枠１７の双方が開放された状態で前方から内枠２の遊技盤収納部５内に収納されるものである。この遊技盤ユニット２０の収納状態では裏樋６０の左下厚さ調整部６８と右下厚さ調整部６９と左上厚さ調整部７０と右上厚さ調整部７１のそれぞれが内枠２の支え部６によって後方から支えられ、左下厚さ調整部６８が遊技盤３０と共に前方のストッパ９と後方の支え部６との間で挟持され、右下厚さ調整部６９が遊技盤３０と共に前方のストッパ９と後方の支え部６との間で挟持されており、残りの各ストッパ７が遊技盤３０に前方から重なるロック状態に回動操作されたときには左上厚さ調整部７０が遊技盤３０と共に前方のストッパ７と後方の支え部６との間で挟持され、右上厚さ調整部７１が遊技盤３０と共に前方のストッパ７と後方の支え部６との間で挟持される。遊技盤ユニット２０は上皿板１２および窓枠１７の双方が開放された状態で内枠２の遊技盤収納部５内から取外されるものである。この場合には両ストッパ７を遊技盤３０の前方から外れるアンロック状態に回動操作し、左上厚さ調整部７０と右上厚さ調整部７１のそれぞれを遊技盤３０と共に挟持解除状態にする。
１０．図柄遊技の説明
図柄表示器１７０の液晶パネル１７１には、図７の（ａ）に示すように、左列の図柄要素と中列の図柄要素と右列の図柄要素のそれぞれとして「１」「２」「３」「４」「５」「６」「７」「８」のいずれかの数字が変動停止状態で表示されており、遊技球が電動始動装置４１の上始動口４３内および下始動口４４内のいずれかに入賞したときには、図７の（ｂ）に示すように、３列の図柄要素が変動停止状態から変動状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は装飾図柄を構成するものであり、装飾図柄は（１）左列の図柄要素（２）右列の図柄要素（３）中列の図柄要素の順序で変動停止する。
【００２６】
左列の図柄要素および右列の図柄要素の両者が変動停止した状態でリーチの組合せになったときには複数種の演出映像が選択的に表示される。このリーチの組合せとは、図７の（ｃ）に示すように、左列の図柄要素および右列の図柄要素が相互に同一な組合せを称するものであり、演出映像とは最終の中列の図柄要素が左列の図柄要素および右列の図柄要素の双方と同一の数字で変動停止するか否かを演出する物語調の映像を称する。図７の（ｄ）〜（ｆ）は演出映像の一例を示すものであり、殿が風呂の熱さに耐えられるか否かで中列の図柄要素が左列の図柄要素および右列の図柄要素の双方と同一の数字で変動停止するか否かが演出される。
【００２７】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。大当り遊技は特別電動入賞装置４２の扉４６を開放し、特別電動入賞装置４２の特別入賞口内に遊技球が入賞することを許容する遊技者有利の状態を発生させるものであり、扉４６は特別入賞口内に上限値（例えば１０個）の遊技球が入賞する個数条件または開放時間が上限値（例えば３０ｓｅｃ）に達する時間条件が満足されるまで開放状態に保持される。この扉４６の個数条件および時間条件を基準とする開閉動作は大当りラウンドと称されるものであり、大当りラウンドは固定的な設定回数（例えば１５回）だけ繰返される。
【００２８】
上記実施例１によれば次の効果を奏する。
遊技盤３０および図柄表示器１７０相互間に枠状のスペーサ９０を介在したので、図柄表示器１７０を遊技盤３０の後面に直接的に接合する場合に比べて両者の離間距離が長くなる。このため、図柄表示器１７０で発生する熱が遊技盤３０側へ伝わることが抑えられるので、図柄表示器１７０での発熱が遊技盤３０に影響を及ぼすことを軽減できる。
【００２９】
液晶ステー１３０を金属板製の左液晶ステー１４０および金属板製の右液晶ステー１５０から構成した。このため、液晶ステー１３０の強度が合成樹脂製のケースに比べて高まるので、左液晶ステー１４０の前板１４１の左右方向の幅寸法および右液晶ステー１５０の前板１５１の左右方向の幅寸法のそれぞれを合成樹脂製のケースのフランジに比べて狭くすることができる。従って、前板１４１の接合位置の制約および前板１５１の接合位置の制約のそれぞれが少なくなるので、図柄表示器１７０の組付作業性の悪化および図柄表示器１７０の組付姿勢の不安定化を招くことが防止される。
【００３０】
液晶ステー１３０の左側板１４１が図柄表示器１７０の左側の縁部のみを支え、液晶ステー１３０の右側板１５１が図柄表示器１７０の右側の縁部の双方のみを支えるように構成したので、図柄表示器１７０の全体を支えるケース状のステーを使用する場合に比べて液晶ステー１３０が軽量化される。このため、遊技盤ユニット２０の重量バランスが後方に大きく偏ることが抑えられるので、遊技盤ユニット２０を内枠２に製造段階で装着する場合および盤替え時に交換する場合のそれぞれで遊技盤ユニット２０の取扱いが容易になる。
【００３１】
左液晶ステー１３０および右液晶ステー１４０のそれぞれを遊技盤３０にバネ螺子１６０を介して接合した。このため、遊技盤ユニット２０の搬送時および窓枠１７の開閉時等に衝撃力が作用したときにはバネ螺子１６０の前バネ１６５および後バネ１６６のそれぞれが弾性変形することに基づいて左液晶ステー１３０に作用する衝撃力を緩和し、右液晶ステー１４０に作用する衝撃力を緩和する。このため、図柄表示器１７０に左液晶ステー１３０および右液晶ステー１４０のそれぞれから衝撃力が伝わることが抑えられるので、図柄表示器１７０を衝撃から保護することができる。
【００３２】
左液晶ステー１３０および右液晶ステー１４０のそれぞれを図柄表示器１７０にバネ螺子１６０を介して接合した。このため、遊技盤ユニット２０の搬送時および窓枠１７の開閉時等に衝撃力が作用したときにはバネ螺子１６０の左バネ１６７および右バネ１６８のそれぞれが弾性変形することに基づいて図柄表示器１７０に作用する衝撃力を緩和するので、この点からも図柄表示器１７０を衝撃から保護することができる。
【００３３】
図柄表示器１７０のパネルフレーム１７２をゴム弾性を有するエラストマーから構成した。このため、遊技盤ユニット２０の搬送時および窓枠１７の開閉時等に衝撃力が作用したときにはパネルフレーム１７２が弾性変形することに基づいて衝撃力を緩和するので、この点からも図柄表示器１７０を衝撃から保護することができる。
【００３４】
上記実施例１においては、左液晶ステー１４０の前板１４１および右液晶ステー１５０の前板１５１のそれぞれを遊技盤３０に移動不能に接合しても良い。
上記実施例１においては、左液晶ステー１４０の左側板１４２および右液晶ステー１５０の右側板１５２のそれぞれを図柄表示器１７０に移動不能に接合しても良い。
【００３５】
上記実施例１においては、液晶ステー１３０に換えて横長な下部ステーと横長な上部ステーと縦長な左部ステーと縦長な右部ステーを有する矩形枠状のステーを用いても良い。
【図面の簡単な説明】
【００３６】
【図１】実施例１を示す図（パチンコ遊技機の全体構成を示す斜視図）
【図２】遊技盤ユニットおよび内枠の両者を分解状態で示す斜視図
【図３】遊技盤ユニットそのものを分解状態で示す斜視図
【図４】左液晶ステーと右液晶ステーと図柄表示器を後方から示す斜視図
【図５】左液晶ステーおよび右液晶ステーの裏樋に対する装着状態を示す断面図
【図６】図柄表示器の左液晶ステーおよび右液晶ステーに対する装着状態を示す断面図
【図７】図柄表示器の表示内容を示す図
【符号の説明】
【００３７】
３０は遊技盤、３７は遊技領域、４２は特別電動入賞装置、９０はスペーサ、１３０は液晶ステー、１４１は前板、１４２は左側板、１５１は前板、１５２は右側板、１６０はバネ螺子、１６１は螺子、１６５は前バネ、１６６は後バネ、１６７は左バネ、１６８は右バネ、１７０は図柄表示器、１７１は液晶パネルを示している。
【図１】
2007275329.tif 000003
【図２】
2007275329.tif 000004
【図３】
2007275329.tif 000005
【図４】
2007275329.tif 000006
【図５】
2007275329.tif 000007
【図６】
2007275329.tif 000008
【図７】
2007275329.tif 000009